(57)【要約】      （修正有）【課題】テープを引出す操作をテープを捲くり上げる操作により粘着力の強いテープも捲くりあげられて切断できる粘着テープ切断器の提供をする。【解決手段】粘着テープの切断は切断器を持ってテープを引出されている操作を接触抵抗を少なくするため切断刃の滑り駒リング担体の下縁保持具の割円板の外周面の３点にして接触させ接着テープの本体を持ちテープの端を摘まみテープの表面を切断刃の下縁の滑り駒を滑らして必要の長さを求めて上に捲くり上げてリング担体に載せて切断する。切断された残りの端面はリング担体に残る摘まみ出すのにリング担体の隙間に指先をいれて簡単に摘まみ出される。【選択図】図１
2006151680.tif 000002
【特許請求の範囲】
【請求項１】
ロール上に巻かれた粘着テープの切断器（図５）はテープに載せてテープの筒芯にゴム帯（１９）を収納する保持具（図８）を装着して切断器（図５）に圧接する様に構成する。その切断刃（図３）はテープの巾よりゆとりをつけて後縁を開閉自在な軸受孔を形成し前側を下方に湾曲に形成する。その先端を鋸歯状の刃を形成する。切断刃（図３）の軸受孔の外側に滑り駒（１１）と切断刃（図３）の上面に押し付け板（１０）を固着することを特徴とする粘着テープ切断器
【請求項２】
二枚の横長の側板は下縁に案内鍔（１４）を形成し前側にリング担体（１２）を適宜な数を固着してある連結棒（１３）にて連結して固着する。後側に切断刃（図３）の軸受孔を設けて取付枠（図４）とし切断刃（図３）の湾曲面をリング担体に合わせて軸（９）を挿嵌して組立てて切断器（図５）とする。切断器（図５）両外側にゴム帯（１９）を装着するアリ溝機構のメス形を形成した保持板（１５）を扇形に配列して固着することを特徴とした請求項１に記載した粘着テープ切断器
【請求項３】
保持具（図６）は汎用軟質ゴム帯（１９）２本を溝形のケースに収納する。溝形ケースの側板はロールの筒芯の側面の接触縁に案内鍔（１６）を形成しゴム帯の折り曲げる両端に滑車（２１）を設置する。溝形ケースの上板はロール筒芯に接触するがロールの筒芯より小さい直径の割円板（１７）の外周面を接触面として上板の両端より少し離して両方に固着する。下の縁は全長の７割をアリ溝機構のメス形に形成する蓋板（１８）の両縁は全長の７割をオス形に形成して側板に挿嵌することを特徴とした請求項１、２、記載した粘着テープ切断器
【請求項４】
汎用軟質ゴム帯２本は片方の端に扇形にして両端はアリ溝機構のオス形にした取付板（２０）を固着する。一方の端を保持具（図８）に固着するが１本を保持具の蓋（１８）のアリ溝加工のない端に固着する。１本は保持具の上板に固着するが挿嵌する蓋に固着した反対側の上板の端に固着する。粘着テープのロールに切断器（図５）を装着して保持具（図８）を筒芯に装着してゴム帯（１９）の取付板（２０）を切断器（図５）の側板の保持板（１５）に挿嵌して圧接することを特徴とした請求項１、２、３、記載の粘着テープ切断器
【発明の詳細な説明】
【技術分野】
【０００１】本発明は粘着テープ（セロハン粘着テープクラフト紙粘着テープ塩化ビニール粘着テープ等）に装着してテープの端を摘まみとり必要な長さを求めて捲くり上げて剥離して切断する粘着テープ切断器に関するものである。
【背景技術】
【０００２】従来ロール状に巻かれた粘着テープ切断器はいろいろ考案されている薄いセロハンテープは重い台座にテープ筒芯を遊嵌させる機構にして切断刃を上に向けてテープを引出して刃に載せて下に向けて切断する方法で一定の場所で使用されている。厚い粘着テープ（クラフト紙粘着テープ塩化ビニール粘着テープ等）は持ち運びされるので直接テープロールに装着されている必要な長さを求めるに端を摘まみ引出す方法で切断されている。巻かれたテープは使用することによりテープの高さは底く変るので保持具にて彈性条にて圧接されているがテープを引出すのに粘着面は他に接着する支障をきたすことがあって接着防止部材が設けられている。【０００３】粘着テープを必要な長さを求めて剥離するがクラフト紙粘着テープの表面は重ね粘着ができない様に加工されてあるのでロールに装着した切断器を持ってテープを引出すのは容易な状態であるが塩化ビニールテープは表面は生地の状態で粘着が容易な状態でロールに巻かれている。ロールに装着した切断器を持ってテープを引出すのはとても固難なり。クラフト紙粘着テープは５０Ｍの長さを積重ねて巻かれているが使われて０位になるまで切断器の保持具は筒芯を１５０回転前后も摺動する筒芯が紙製なので角がほつれたり縒たりして保持具は平行に摺動されない障害がある。厚い粘着テープを切断するときは傾斜をつけて荷重をかけて切断するが切断器は横に位置づれする障害がある。
【発明の開示】
【発明が解決しようとする課題】
【０００４】本発明は前述の接着防止部材を取り除き其の他の欠点を解消することができることを目的とし装着された切断器を持ってテープの端を摘まみ必要な長さを引出して切断されている操作を粘着テープの本体を片手で持ち一方の手でテープの端を摘まみ必要な長さを捲くり上げて切断する操作にする。切断された残りの端も簡単に摘まみとることができる。接着力の強い塩化ビニールテープも切断することができる切断器を提供することにある。
【課題を解決ための手段】
【０００５】本発明は上述の目的達成するためにロール状に巻かれた粘着テープの切断器（図５）はテープに載せてテープの筒芯にゴム帯（１９）を収納する保持具（図８）を装着して切断器（図５）に圧接する様に構成する。その切断刃（図３）はテープの巾よりゆとりをつけて後縁を開閉自在な軸受孔を形成し前側を下方に湾曲に形成するその先端を鋸歯状の刃を形成する。切断刃（図３）の軸受孔の外側に滑り駒（１１）と切断刃（図３）の上面に押し付け板（１０）を固着することを特徴とする粘着テープ切断器。
【０００６】二枚の横長の側板は下縁に案内鍔（１４）を形成し前側にリング担体（１２）を適宜な数を固着してある連結棒（１３）にて連結して固着する。後側に切断刃（図３）の軸受孔を設けて取付枠（図４）とし切断刃（図３）の湾曲面をリング担体に合わせて軸（９）を挿嵌して組立てて切断器（図５）とする。切断器（図５）の雨外側にゴム帯（１９）を装着するアリ溝機構のメス形を形成した保持板（１５）を扇形に配列して固着することを特徴としする粘着テープ切断器。
【０００７】保持具（図６）は汎用軟質ゴム帯（１９）２本を溝形ケースに収納する。溝形ケースの側板はロールの筒芯の側面の接触縁に案内鍔（１６）を形成しゴム帯の折り曲げる両端に滑車（２１）を設置する。溝形ケースの上板はロールの筒芯に接触するがロールの筒芯より小さい直径の割円板（１７）の外周面を接触面として上板の両端より少し離して両方に固着する。下の縁は全長の７割をアリ溝機構のメス形に形成する蓋板（１８）の両縁は全長の７割をオス形に形成して側板に挿嵌することを特徴とする粘着テープ切断器。
【０００８】汎用軟質ゴム帯２本は片方の端に扇形にして両端はアリ溝機構のオス形にした取付板（２０）を固着する。一方の端を保持具（図８）に固着するが１本を保持具の蓋（１８）のアリ溝加工のない端に固着する。１本は保持具の上板に固着するが挿嵌する蓋に固着した反対側の上板の端に固着する。粘着テープのロールに切断器（図５）を装着して保持具（図８）を筒芯に装着してゴム帯（１９）の取付板（２０）を切断器（図５）の側板の保持板（１５）に挿嵌して圧接することを特徴とした切断器を提供するものである。
【発明の効果】
【０００９】図１は切断器（図５）を粘着テープのロールに装着して切断刃（図３）を後方に倒しテープをリング担体より捲くり上げて必要な長さを求めた斜視図である。テープの接触はテープの表面を切断刃（図３）の滑り駒（１１）のみで粘着面が当る箇所がないのが特徴である。
【００１０】図２は粘着テープを必要な長さを求めて捲くり上げて切断器（図５）のリング担体（１２）に載せて切断刃（図３）を前側に倒してテープリング担体に挟みつけ切断刃（図３）の押しつけ板（１０）を押し付けてテープを傾斜をつけて切断する斜視図である位置づれすることなく切断できることが特徴である。
【００１１】切断器（図５）を粘着テープのロールに装着するには切断器（図５）と保持具（図８）を切り離しておき次にテープの端を摘み出しておき切断刃（図３）を後側に倒してテープの端の表面を切断刃（図３）の滑り駒（１１）の下を通してロールに載せてテープの粘着面をリング担体（１２）に載せて切断刃（図３）を前側に倒す。筒芯に保持具（図８）を挿着してゴム帯（１９）の取付板（２０）を切断器（図５）の外側に固着した保持板に挿嵌することにより圧接する。
【００１２】粘着テープに装着してある切断器（図５）でテープを切断するには粘着テープを片手に持ち一方の手で切断刃（図３）を後方に倒すとテープの粘着面はリング担体（１２）に付着しておりリング担体（１２）の間隔の隙間に指をいれて摘まみとり切断刃（図３）の滑り駒（１１）を持ち上げる様にして捲くり上げる切断器（図５）を摺動させ必要な長さを求めリング担体（１２）に載せる切断刃（図３）を前に倒してテープをリング担体に挟み切断刃（図３）の押し付け板（１０）を押し付けてテープを傾斜をつけて切断する。粘着力の強い塩化ビニールテープも簡単に捲くり上げて切断することができる。
【００１３】本切断器（図５）は捲くり上げながら必要な長さを求めるために接触抵抗を少なくして滑らかに摺動するようにするために切断器（図５）のリング担体（１２）の下縁と切断刃（図３）の軸受孔の外側に固着した滑り駒（６）と保持具（図８）の割円板（１７）の外周面の三点にて接触する。ロールの側面の筒芯の隅角に当ることなく摺動でき筒芯に異物の混入も防ぐことができる。
【００１４】切断刃（図３）は切断器（図５）を使用しないときは前側に倒しておくが刃のぶらつきを防ぐために滑り子駒（１１）の下辺を少し長くしておくと座わりよく刃のぶらつきを防ぐことができて安全を保つことができる。
【００１５】粘着テープを必要な長さを求めて切断する際に傾むけて荷重をかけて切断するが取付枠（図４）の下縁の案内鍔（１４）と保持具（図８）の案内鍔（１６）を設けたことにより切断器（図５）と保持具（図８）の位置づれがなく平行して安定して使用できる。
【００１６】切断器（図５）と保持具（図８）の連結部材として汎用軟質ゴムを使用するがなるべくゴムの伸長率を低くして使用するために二本にするその装着にアリ溝機構のメス、オスにして装着したことにより凹凸面が少なくなり手に優しく使用でき又簡単に装着離脱することができる。
【００１７】粘着テープ切断器（図５）の本体を持ち切断刃（図３）の下縁に固着した滑り駒（１１）をテープの上面を滑らせて必要な長さを求めてテープを上に捲くり上げる図１はその斜視図である。
【００１８】図２は粘着テープを切断器（図５）のリング担体（１２）に載せて切断刃（図３）の押付板（１０）を押しつけて傾斜にして荷重をかけて切断する斜視図である切断器（図５）の案内鍔（１４）保持具（図８）の案内鍔（１６）により位置づれがなく切断することができる。
【図面の簡単な説明】
【００１９】
【図１】  粘着テープに切断器を装着してテープを捲くりあげている実施形態の斜視図
【図２】  粘着テープに切断器を装着してテープ切断する実施形態の斜視図
【図３】  切断刃の斜視図
【図４】  切断刃を装着する取付枠の斜視図
【図５】  取付枠に切断刃を組立てた切断器の斜視図
【図６】  保持具の斜視図
【図７】  保持具の蓋にゴム帯を固着した斜視図
【図８】  保持具に軟質ゴム帯、滑車、蓋を組込んだ斜視図
【符号の説明】
【００２０】９．  切断刃を組込む軸の斜視図
１０．切断刃に固着する押し板の斜視図
１１．切断刃に固着する滑り駒の斜視図
１２．リング担体の斜視図
１３．連結棒の斜視図
１４．取付枠の案内鍔の斜視図
１５．ゴム帯の取付板を装着する保持板の斜視図
１６．保持具の案内鍔の斜視図
１７．保持具の筒芯に接触する割円板の斜視図
１８．保持具の蓋の斜視図
１９．軟質ゴム帯の斜視図
２０．アリ溝機構のオス形取付板の斜視図
２１．保持具に組込む滑車の斜視図
２２．滑車の軸の斜視図
【図１】
2006151680.tif 000003
【図２】
2006151680.tif 000004
【図３】
2006151680.tif 000005
2006151680.tif 000006
【図４】
2006151680.tif 000007
【図５】
2006151680.tif 000008
【図６】
2006151680.tif 000009
【図７】
2006151680.tif 000010
【図８】
2006151680.tif 000011
【手続補正書】
【提出日】平成17年2月8日(2005.2.8)
【手続補正１】
【補正対象書類名】図面
【補正対象項目名】全図
【補正方法】変更
【補正の内容】
【図１】
2006151680.tif 000012
【図２】
2006151680.tif 000013
【図３】
2006151680.tif 000014
【図４】
2006151680.tif 000015
【図５】
2006151680.tif 000016
【図６】
2006151680.tif 000017
【図７】
2006151680.tif 000018
【図８】
2006151680.tif 000019